(57)【要約】【課題】カーテンで仕切られた区画の平面的形状などを変更したいなどのため、吊り下げられているカーテンの位置形状を曲線曲面状に随時に変更可能とする。【解決手段】カーテンを吊り下げる非開閉部は、その位置形状を変更することができるように吊り下げられた非開閉仕切幕１と、円形断面で可撓性を有するレール心材２と、内側になる面には接着剤膜が塗着され中央部で前記レール心材２の全周に密着するように巻着され残余の部分で前記非開閉仕切幕１の下端縁に挟着されたレール布３とからなる構成であり、この非開閉部に開閉可能に取り付け吊り下げられる開閉可能部は、カーテン４と、このカーテン４の上端縁に取り付けられ前記レール布３の前記レール心材２に巻着された部分に移動可能に係支された吊り部品５とからなる。【選択図】図１
2005052333.tif 000002
【特許請求の範囲】
【請求項１】
カーテンを吊り下げる非開閉部は、その位置形状を変更することができるように吊り下げられた非開閉仕切幕１と、円形断面で可撓性を有するレール心材２と、内側になる面には接着剤膜が塗着され中央部で前記レール心材２の全周に密着するように巻着され残余の部分で前記非開閉仕切幕１の下端縁に挟着されたレール布３とからなり、この非開閉部に開閉可能に取り付け吊り下げられる開閉可能部は、カーテン４と、このカーテン４の上端縁に取り付けられ前記レール布３の前記レール心材２に巻着された部分に移動可能に係支された吊り部品５とからなる、ことを特徴とするカーテン装置。
【請求項２】
前記吊り部品５は、前記レール布３の前記レール心材２に巻着された部分を滑動可能に挟むように係支されて前記カーテン４を吊すように形成されたものであることを特徴とする請求項１に記載のカーテン装置。
【請求項３】
前記吊り部品５は、前記レール布３の前記レール心材２に巻着された部分の両肩上面を転動するように設けられたローラー８を有することを特徴とする請求項１に記載のカーテン装置。
【請求項４】
前記吊り部品５は、材質が合成樹脂であることを特徴とする請求項２に記載のカーテン装置。
【請求項５】
前記吊り部品５は、板金プレス形成されたものであることを特徴とする請求項２に記載のカーテン装置。
【発明の詳細な説明】
【技術分野】
【０００１】
この発明は、カーテン又はカーテン状の膜，網，桟などを開閉可能に吊り下げるカーテン装置に関するものである。
【背景技術】
【０００２】
カーテン装置としては種々の形式のものがある。しかし、従来のカーテンを開閉可能に吊り下げるレール機能部は、線形状が直線状のものや曲線状のもの、長さが伸縮可能なものもあるが、一般に、レール機能部の位置や形状は固定であり、使用中のカーテンのレールの線形状を自由に曲げて位置形状を変更し、カーテンの面形状を変更するというようなことは不可能であった。
【０００３】
しかし、カーテンで仕切られた区画内で行う作業などの都合によって、その区画の平面的形状や広さを必要に応じてその都度変更したい場合がある。
【０００４】
この発明はこのような課題を解決するためになされたもので、カーテンを吊り下げるレール機能部の位置形状を使用中でも自由に曲げることができ、もって、カーテンで仕切られた区画の平面的形状や広さを必要に応じて自由に変更することができるカーテン装置を得ることを目的とする。
【特許文献１】特願２００３−０５０７２１
【発明の開示】
【発明が解決しようとする課題】
【０００５】
この発明が解決しようとする問題点は、従来のカーテンのレール機能部は、その位置形状を使用中に変更することは不可能であり、カーテンで仕切られた区画の平面的形状や広さを変更することはできなかった。そこで、カーテンを吊り下げるレール機能部を自由に曲げて位置形状を変更することができ、カーテンで仕切られた区画の平面的形状や広さを、使用中でも随時変更することができるカーテン装置を実現しようとするものである。
【課題を解決するための手段】
【０００６】
この発明によるカーテン装置は、カーテンを吊り下げる非開閉部は、その位置形状を変更することができるように吊り下げられた非開閉仕切幕１と、円形断面で可撓性を有するレール心材２と、内側になる面には接着剤膜が塗着され中央部で前記レール心材２の全周に密着するように巻着され残余の部分で前記非開閉仕切幕１の下端縁に挟着されたレール布３とからなり、この非開閉部に開閉可能に取り付け吊り下げられる開閉可能部は、カーテン４と、このカーテン４の上端縁に取り付けられ前記レール布３の前記レール心材２に巻着された部分に移動可能に係支された吊り部品５とからなるものである。なお、この発明は本出願人による前記「特願２００３−０５０７２１」のレール機能部を吊り部品とし、吊り部品機能部をレール機能部とした構成であり、逆転の発想によるものである。
【発明の効果】
【０００７】
この発明によるカーテン装置は、非開閉仕切幕１がその位置形状を変更することができるように吊り下げられており、レール心材２とこれに巻着されたレール布３とからなるレール機能部が可撓性を有するので、非開閉仕切幕１の位置形状を変更すればこれに応じてレール機能部の位置形状が変化する。レール機能部の位置形状が変化すれば、カーテンの位置形状も変化する。したがって、必要に応じて、このカーテンで仕切られた区画の平面的形状や広さを随時に任意に変更することができる。
【発明を実施するための最良の形態】
【０００８】
カーテンを吊り下げる非開閉部は、その位置形状を変更することができるように吊り下げられた非開閉仕切幕１と、円形断面で可撓性を有するレール心材２と、内側になる面には接着剤膜が塗着され中央部で前記レール心材２の全周に密着するように巻着され残余の部分で前記非開閉仕切幕１の下端縁に挟着されたレール布３とからなる構成であり、この非開閉部に開閉可能に吊り下げられる開閉可能部は、カーテン４と、このカーテン４の上端縁に取り付けられ前記レール布３の前記レール心材２に巻着された部分に移動可能に係支された吊り部品５とからなるものである。
【０００９】
前記吊り部品５は、レール布３のレール心材２に巻着された部分を滑動可能に挟むように係支されて前記カーテン４を吊すように形成されたものである。
【００１０】
また、前記吊り部品５はレール布３のレール心材２に巻着された部分の両肩上面を転動するように設けられたローラー８を有するものである。
【実施例１】
【００１１】
図１はこの発明によるカーテン装置の一実施例を示す図であり、やや上方から見た遠近法による斜視図である。図において、１は非開閉仕切幕、２はレール心材、３はレール布、４はカーテン、５は吊り部品である。
【００１２】
図１において、非開閉仕切幕１は、布又は網状又は薄い板状又は桟状の幕又はカーテン状に形成されたものである。非開閉仕切幕１は、その上端縁が天井などに取り付けられており、図では、その取付位置は直線状であり、非開閉仕切幕１は縦の平面状に画かれているが、その天井への取付位置は、例えば、天井面に多数の係止可能箇所があり、非開閉仕切幕１の上端縁に取り付けられているフックなどの係止部品を天井面の任意の係止箇所に掛け替えるというような手段により、その位置形状を変更することができるようになっている。このようにその取付位置を変更することにより、非開閉仕切幕１が曲面状になるように変更することができる。非開閉仕切幕１の下端縁に取り付けられているレール機能部であるレール布３及びレール心材２は、下記のように可撓性があるので、非開閉仕切幕の位置形状の変化に応じて位置形状が変化する。
【００１３】
レール心材２は断面円形の棒状であり、材質は天然又は合成ゴムで可撓性を有するものである。レール布３は天然又は合成織物の布であり、丈夫で摩擦に強く表面が滑らかで滑りやすいものがよい。レール布３の内側になる面には接着剤が塗布されており、レール心材２の周囲にレール布３の中央部が隙間なく密着させるように巻き付けて接着されている。レール布３の残余の部分は非開閉仕切幕１の下端縁に挟み付けて接着されている。したがって、巻き付けられて一体的になったレール機能部であるレール心材２とレール布３は可撓性を有する。
【００１４】
図１に示すように、カーテン４の上端縁には軟心材４２及び縁布４３が取り付けられている。縁布４３は内面に塗布された接着剤で軟心材４２及びカーテン４に接着されている。ただし、カーテン４の上端縁の構造は、例えば、カーテン４の上端縁を二重又は多重に折り重ねて縫いつけただけというような簡単な構造であっても全く差し支えない。
【００１５】
図１に示すように、カーテン４の上端縁に所望の間隔で吊り部品５が取り付けられている。吊り部品５のカーテン４への取付手段として、図では、ビス又はボルトナットのような取付部品６で吊り部品５をカーテン４の上端縁に挟み付けるという手段を示しているが、その他周知の各種の取付手段があり、その何れを採用してもよい。
【００１６】
図１に示す吊り部品５は合成樹脂製であり、型成形したもの、又は押し出し成形して所定寸法に切断してバリ取りなど整形したものである。左右対称の断面鍵状の２個の部品からなる。この半割りの２個の部品をカーテン４の上端縁に挟み付けて取付部品６で取り付けたとき、この２個の部品の上端内側の間にレール布３が余裕をもって通ることができる隙間ができるように形成されている。なお、この隙間はレール心材２の直径より十分小さい寸法である。この隙間の下部にできる空間はレール布３が巻着されたレール心材２が余裕をもって入る空間が形成されるものとする。一般に合成樹脂は滑りやすいがレール布３の布に接触して摩擦係数の低いものを採用すればよい。
【００１７】
次に、図１について、作用及び動的状態について説明する。非開閉仕切幕１の上端縁は天井などに位置変更可能に取り付けられており、非開閉仕切幕１の下端縁に接着されているレール機能部であるレール布３及びレール心材２も一体となって吊り下げられている。カーテン４の上端縁に所望の間隔で取り付けられている吊り部品５は、その上端隙間の下部両隅部で、レール布３が巻着されたレール心材２の両肩部に支持され、カーテン４が吊り下げられる。
【００１８】
カーテン４の開閉については、カーテン４を右方又は左方に引っ張るなどすれば、吊り部品５がその上端隙間の下部両隅部で接触しているレール布３が巻着されたレール心材２の両肩部の上面に支持されながら滑って移動し、カーテン４が開閉される。
【００１９】
図１において、非開閉仕切幕１の上端縁は天井などに取り付けられているが、例えば、非開閉仕切幕１の上端縁に設けられている係止部品を天井などに設けられている多数の被係止部品の任意のものに係止するというような手段によって、その取付位置は変更可能であり、取付位置を変更して、図示のような直線状でなく、曲線状又は折れ線状に取り付けることができる。そうすると、それに応じて非開閉仕切幕１は曲面状となり、レール機能部であるレール布３が巻着されたレール心材２も、可撓性があるので、それに応じた曲線状に変化する。すると、これに吊り部品５を介して吊り下げられているカーテン４も、それに応じた曲線曲面状に変化する。すなわち、このカーテン装置によって仕切られた区画の平面的大きさや位置形状を必要に応じて自由に変更することができる。
【００２０】
なお、非開閉仕切幕１の位置形状を変化させる手段として、上記では天井への取付位置の変更を示したが、その他、例えば、非開閉仕切幕１の下部の複数箇所に横方向に引っ張ることができる索を取り付けておき、この索を引っ張って、非開閉仕切幕１とその下端縁に取り付けられているレール布３が巻着されたレール心材２からなる前記レール機能部を所要の位置形状に変更するというような手段もある。
【００２１】
次に、図２に示す吊り部品５について説明する。この吊り部品５は板金プレスで成形したものである。大体の形状は図１に示すものと同様である。下部はカーテン４の上端縁に挟み付けて止めるように形成されており、取付部品６を取り付ける穴があけられている。この吊り部品５をカーテン上端縁に取付部品６で締め付けて取り付けた状態で、この吊り部品５の上部はレール布３が通る隙間が形成され、中央部はレール心材２を余裕をもって収容する空間が形成される。なお、板金の厚さが薄いのを補強するためと、角を丸めてこの吊り部品５がレール機能部であるレール布３が巻着されたレール心材２の両肩部の上面で滑らかに滑るようにするため、各両端縁にフランジ５ｆが形成されている。
【００２２】
次に、図３に示す吊り部品５について説明する。この吊り部品５は、上記レール機能部の両肩上面上を転動するように設けられたローラー８を有するものである。
【００２３】
図３（Ａ）に示すものは、ローラー８の上記レール機能部に接する箇所の断面位置形状が上記レール機能部の外面に合わせて形成されている。ローラー軸５８は水平である。吊り部品本体５２は左右対称二つ割りである。吊り部品本体５２の下端部にはカーテン４の上端縁部を挟み付ける位置形状が形成されている。この部分でカーテン４の上端縁部を挟み込み、結合部品５４を嵌め込んで、二つ割りの吊り部品本体５２を結合し一体化して使用する。一体化したとき、図示のように、両吊り部品本体５２はレール機能部であるレール心材２に巻着されたレール布に接触せず、両ローラー８は上記レール機能部２の両肩部の所定の位置に図示のように乗るように形成されている。
【００２４】
図３（Ｂ）に示すものは、ローラー８は普通の円筒又は厚円盤状のものである。吊り部品本体５２は一体で、ローラー８を支持するローラー軸５８の部分はローラー８が接するレール心材２の面の箇所の傾斜に合わせた傾斜となっている。吊り部品本体５２の下部にはバネ板材などで作られたカーテン係止部品５６が接続されており、カーテン係止部品５６のバネ力によりカーテン４の上端縁を挟み付けて取り付けるようになっている。
【００２５】
なお、図１及び図２において、取付部品６はネジを示したが、取付部品６は半割りの吊り部品５を結合するとともにカーテン４の上端縁に取り付ける機能のものであり、他の各種の形式を採用することができる。
【００２６】
また、図３（Ａ）においても、上記と同様に、結合部品５４は半割りの吊り部品５を結合するとともにカーテン４の上端縁に取り付ける機能のものであり、他の各種の形式を採用することができる。
【００２７】
また、図３（Ｂ）において、カーテン係止部品５６はバネ式のものを示したが、これはカーテン４の上端縁に取り付ける機能を果たせばよく、他の各種の形式を採用することができる。
【００２８】
また、図３（Ａ）に示す吊り部品５を半割れ形でなく（Ｂ）に示すような一体形としてもよく、図３（Ｂ）に示す吊り部品５を一体形でなく（Ａ）に示すように半割れ形としてもよい。
【産業上の利用可能性】
【００２９】
この発明による位置形状を任意に変更することができるカーテン装置は、一般のカーテン装置として利用することもできるが、特に、カーテンで仕切られた区画の面積や形状を必要に応じて任意に変更したいというような場合に利用すれば好適である。
【図面の簡単な説明】
【００３０】
【図１】この発明によるカーテン装置の一実施例を示す図であり、やや上方から見た遠近法による斜視図である。
【図２】板金プレス製の吊り部品の斜視図である。
【図３】ローラー式の吊り部品を示し、（Ａ）はレール面の形状に合わせたローラーを有する吊り部品の断面図、（Ｂ）は傾斜ローラーを有する吊り部品の断面図である。
【符号の説明】
【００３１】
１：非開閉仕切幕、
２：レール心材、
３：レール布、
４：カーテン、
５：吊り部品、
６：取付部品、
８：ローラー。
【図１】
2005052333.tif 000003
【図２】
2005052333.tif 000004
【図３】
2005052333.tif 000005